(57)【要約】【課題】床面とテーブル（机を含む）の天板との間の配線を、体裁よく包覆しうるようにし、かつ必要に応じ、ダクト部に配線を簡単に出し入れすることができ、しかもこのダクト部を、取り外すことができるようにする。【解決手段】テーブル等１の適所に嵌合係止しうるようにした断面Ｕ状の係合枠４の外側面に、その長手方向を向くダクト部７を設ける。【選択図】　　　　図２
2004089461.tif 000002
【特許請求の範囲】
【請求項１】
テーブル等の適所に嵌合係止しうるようにした断面Ｕ状の係合枠の外側面に、その長手方向を向くダクト部を設けたことを特徴とするテーブル等における配線ダクト装置。
【請求項２】
ダクト部の一側縁を、係合枠と一体に形成するとともに、同じく他側縁を、係合枠に対して開閉可能に係合しうるようにしたことを特徴とする請求項１記載のテーブル等における配線ダクト装置。
【請求項３】
ダクト部における開閉可能とした側縁に係止片を形成するとともに、係合枠の側面に、前記係止片を係止させうる係止鈎を設けたことを特徴とする請求項２記載のテーブル等における配線ダクト装置。
【請求項４】
ダクト部の一部に長手方向の可撓性部を設け、ダクト部の一側縁を、この可撓性部を中心として、開閉させうるようにしたことを特徴とする請求項２または３記載のテーブル等における配線ダクト装置。
【請求項５】
係合枠を、脚支持体の側端に嵌合してなる請求項１〜４のいずれかに記載のテーブル等における配線ダクト装置。
【請求項６】
脚支持体の一側端寄りの両側面に、上下方向の嵌合溝を設け、かつ係合枠の内側面に、前記嵌合溝へ嵌合しうる係合突条を形成したことを特徴とする請求項５に記載のテーブル等における配線ダクト装置。
【請求項７】
係合枠を、天板の側端に嵌合してなる請求項１〜４のいずれかに記載のテーブル等における配線ダクト装置。
【請求項８】
天板の側端寄りの上下両面に、水平方向の嵌合溝を形成し、かつ係合枠の内側面に、前記嵌合溝へ嵌合しうる係合突条を形成したことを特徴とする請求項７記載のテーブル等における配線ダクト装置。
【請求項９】
ダクト部の全体もしくは一部を透明としたことを特徴とする請求項１〜８のいずれかに記載のテーブル等における配線ダクト装置。
【発明の詳細な説明】
【０００１】
【発明の属する技術分野】
本発明は、床面とテーブル（机を含む）の天板との間の配線を、体裁よく包覆しうるようにし、かつ必要に応じ、ダクト部に配線を簡単に出し入れすることができ、しかもこのダクト部を、取り外すことができるようにした配線ダクト装置に関する。
【０００２】
【従来の技術】
床面とテーブル等の天板との間の配線を包覆する従来の配線ダクト装置としては、次のようなものが一般的である。
（ａ）　天板を支持する脚体の後端面、もしくはその側面適所に、例えば樹脂製の上下方向を向く配線ダクトを固着する。
【０００３】
（ｂ）　左右の脚体の後端部間に設けた後面板の一部に、上下方向を向く配線ダクトを固着する。
【０００４】
（ｃ）　脚体と後面板とによる内角部に、脚体と後面板にまたがるようにして、上下方向を向く配線ダクトを固着する。
【０００５】
（ｄ）　脚体もしくは後面板の一部に、上下方向を向く凹入溝を設け、その凹入溝の中に、配線ダクトを嵌合する。
【０００６】
（ｅ）　脚体もしくは後面板の一部に、上下方向を向く凹入溝を設けて、この凹入溝自体を配線ダクトとし、これにカバーを嵌合させるようにする。
【０００７】
（ｆ）　天板より床面に向かって可撓性のある保護筒を垂下し、この保護筒内に配線を通すようにする。
【０００８】
【発明が解決しようとする課題】
上述した従来の各配線ダクト装置には、それぞれ、次のような問題点がある。（ａ）　配線ダクトの取付けが面倒であり、かつ一旦取付けた配線ダクトを取外すのに手間がかかる。
【０００９】
（ｂ）　テーブル等の後面板は、一般に剛性が低いため、配線ダクトの保持が、不確実かつ不安定である。
【００１０】
（ｃ）　脚体と後面板とによる内角部は、接近性が良くないため、この部分において配線作業を行うことは容易ではない。
【００１１】
（ｄ）　脚体もしくは後面板に、予め凹入溝を形成しておかなければならず、凹入溝の存在により、脚体もしくは後面板の強度は低下し、また、配線ダクトを設けない場合には、体裁上、凹入溝を覆うカバー等を取付ける必要があり、面倒である。
【００１２】
（ｅ）　凹入溝自体を配線ダクトとして利用しうるようにするためには、凹入溝の寸法を相当に大としなければならないが、そのためには、脚体もしくは後面板を厚肉としなければならず、デザインおよびコスト上の制約を受けることとなる。
【００１３】
（ｆ）　保護筒が天板より垂下しているため、邪魔になるとともに体裁すぐれず、また、配線が可撓性ある保護筒とともに動くので、耐久性および安全面で問題がある。
【００１４】
【課題を解決するための手段】
本発明は、上記したような従来のテーブル等における配線ダクト装置の問題点を解消することを目的とし、その具体的手段は、次の如くである。
（１）　テーブル等の適所に嵌合係止しうるようにした断面Ｕ状の係合枠の外側面に、その長手方向を向くダクト部を設ける。
【００１５】
（２）　上記（１）項において、ダクト部の一側縁を、係合枠と一体に形成するとともに、同じく他側縁を、係合枠に対して開閉可能に係合しうるようにする。
【００１６】
（３）　上記（２）項において、ダクト部における開閉可能とした側縁に係止片を形成するとともに、係合枠の側面に、前記係止片を係止させうる係止鈎を設ける。
【００１７】
（４）　上記（２）または（３）項において、ダクト部の一部に長手方向の可撓性部を設け、ダクト部の一側縁を、この可撓性部を中心として、開閉させうるようにする。
【００１８】
（５）　上記（１）〜（４）項のいずれかにおいて、係合枠を、脚支持体の側端に嵌合する。
【００１９】
（６）　上記（５）項において、脚支柱体の一側端寄りの両側面に、上下方向の嵌合溝を設け、かつ係合枠の内側面に、前記嵌合溝へ嵌合しうる係合突条を形成する。
【００２０】
（７）　上記（１）〜（４）項のいずれかにおいて、係合枠を、天板の側端に嵌合する。
【００２１】
（８）　上記（７）項において、天板の側端寄りの上下両面に、水平方向の嵌合溝を形成し、かつ係合枠の内側面に、前記嵌合溝へ嵌合しうる係合突条を形成する。
【００２２】
（９）　上記（１）〜（８）項のいずれかにおいて、ダクト部の全体もしくは一部を透明とする。
【００２３】
【発明の実施の形態】
図は、テーブル等の平板状の脚体の前端に実施した本発明の配線ダクト装置の一実施形態を示す。
【００２４】
テーブル等（１）における平板状の脚体（２）の前端近くの内外両側面には、上下方向の嵌合溝（３）（３）を設けてある。
【００２５】
脚体（２）の前端より、合成樹脂製の断面Ｕ状の係合枠（４）を嵌合し、その内側面に対向させて設けた上下方向の係合突条（５）（５）を前記嵌合溝（３）（３）へ弾性的に嵌合させることにより、係合枠（４）を確実に抜け止め保持してある。
【００２６】
係合枠（４）の取付け要領は任意であり、その脚体（２）の前端に対する嵌合度と、両者の接触面の摩擦係数の如何によっては、嵌合溝（３）および係合突条（５）を省略して実施することができる。
【００２７】
また、この際、念のために、脚体（２）の前端に嵌合した係合枠（４）を、適宜の引き剥し可能の接着剤をもって、脚体（２）に固定しておいてもよい。
【００２８】
係合枠（４）の内側面の前端よりやや後方には、内方を向き、かつ内端が前方を向く係止鈎（６）が一体的に設けられている。係止鈎（６）は、係合枠（４）の上下方向の全長に亘っているのがよい。
【００２９】
係合枠（４）の内側片は、係止鈎（６）の後方へ延びた後、内方、前方および外方へ反転屈曲されて、縦筒状のダクト部（７）が形成されている。
【００３０】
ダクト部（７）の遊端には、後方を向く係止片（８）が形成され、この係止片（８）は、前記係止鈎（６）の外側面に、前方から弾性係止しうるようになっている。
【００３１】
ダクト部（７）の適所には、変形を容易にするための上下方向の軟質可撓部（９）が設けられている。
【００３２】
ダクト部（７）の全体もしくは一部を、透明としておくのが望ましい。
【００３３】
ダクト部（７）を手で押して変形させて、係止片（８）を係止鈎（６）から外すことにより、ダクト部（７）を開いて、その中へ配線を出し入れし、かつ再び簡単に係止片（８）をもって閉じさせることができる。
【００３４】
【発明の効果】
各請求項に記載の発明の効果は、次の如くである。
請求項１：　必要に応じ、ダクト部を、係合枠とともに、テーブル等の適所に対して、簡単に着脱することができ、かつ係合枠を狭幅として、体裁を良好にすることができ、しかもテーブル等における係合枠を取付けるべき部分に、なんらの加工を施す必要もない。
【００３５】
請求項２：　ダクトの一側縁を開いて、端部に電気部品等が接続されている配線を、側方から容易に出し入れすることができる。
【００３６】
請求項３：　ダクト部を閉じた状態で、簡単に保持させることができる。
【００３７】
請求項４：　ダクト部を、可撓性部を中心として、容易に開閉させることができる。
【００３８】
請求項５：　ダクト部を、テーブル等の脚支持体の前端または後端に、簡単に取付けることができる。
【００３９】
請求項６：　ダクト部を、テーブル等の脚支持体の前端または後端に、正確に位置決めして、確実かつ容易に取付けることができる。
【００４０】
請求項７：　ダクト部を、天板の任意の側端に取付けることができる。
【００４１】
請求項８：　ダクト部を、天板の側端に、正確に位置決めして、確実かつ容易に取付けることができる。
【００４２】
請求項９：　ダクト部内の配線の状態を、外部から容易に視認することができる。
【図面の簡単な説明】
【図１】本発明の一実施形態を備える脚の脚体を内方より見た図である。
【図２】図１におけるＩＩ−ＩＩ線拡大横断面図である。
【符号の説明】
（１）テーブル等
（２）脚体
（３）嵌合溝
（４）係合枠
（５）係合突条
（６）係止鈎
（７）ダクト部
（８）係止片
（９）軟質可撓部
【図１】
2004089461.tif 000003
【図２】
2004089461.tif 000004